(57)【要約】      （修正有）【課題】スイッチを制御することにより、安全で衛生的に遠方から異物を捕捉することができる粘着式異物捕捉装置を提供する。【解決手段】粘着式異物捕捉装置は、ロッド２１０の一方の端部に設置される粘着片２３０と、ロッド２１０の他方の端部に設置される第１のスイッチ（捕捉スイッチ）２４０及び第２のスイッチ（解放スイッチ）２５０と、を含む。第１のスイッチ２４０が外力を受けて第１の動作を行うと、第１のスイッチ２４０は、第１の伝動機構２６０を連動させ、第１の伝動機構２６０が粘着片固定部材２２０を駆動し、粘着片２３０を密封する。第２のスイッチ２５０が外力を受けて第２の動作を行うと、粘着片固定部材２２０が粘着片２３０を離脱させる。これにより、ユーザが粘着片を手で取り外す必要がないため、安全性及び衛生上の問題がない。【選択図】図２
0003191361.tif 000002
【実用新案登録請求の範囲】
【請求項１】
ロッド、粘着片固定部材、第１のスイッチ、第１の伝動部材及び第２のスイッチを備える粘着式異物捕捉装置であって、
前記ロッドは、第１端を有し、
前記粘着片固定部材は、前記ロッドの第１端に位置し、前記粘着片を連結するために用いられ、
前記第１のスイッチは、前記ロッド上に設けられ、前記ロッドの第１端以外の位置に位置し、
前記第１の伝動部材は、前記第１のスイッチと前記粘着片固定部材とを連結し、前記第１のスイッチが第１の動作を行うと、前記粘着片固定部材が前記粘着片を密封し、
前記第２のスイッチは、前記ロッド上に位置し、第２の動作を行うと、第２の伝動部材が前記ロッドの第１端まで延設されることにより、前記粘着片固定部材から前記粘着片を離脱させることを特徴とする粘着式異物捕捉装置。
【請求項２】
前記粘着片固定部材は、前記粘着片上に連結されることによって前記粘着片を固定し、前記粘着片固定部材は、クリップ、ピン、面ファスナー、テープ、ボルト、磁石などであることを特徴とする請求項１に記載の粘着式異物捕捉装置。
【請求項３】
前記粘着片固定部材の延設部は、前記ロッドと見なされることを特徴とする請求項１に記載の粘着式異物捕捉装置。
【請求項４】
前記ロッドは、複数のロッド体が直列接続又は並列接続されて構成されることを特徴とする請求項１に記載の粘着式異物捕捉装置。
【請求項５】
ロッド、粘着片固定部材、第１のスイッチ及び第１の伝動部材を備える粘着式異物捕捉装置であって、
前記ロッドは、第１端を有し、
前記粘着片固定部材は、前記ロッドの第１端に位置し、前記粘着片を連結するために用いられ、
前記第１のスイッチは、前記ロッド上に設けられ、前記ロッドの第１端以外の位置に位置し、
前記第１の伝動部材は、前記第１のスイッチと前記粘着片固定部材とを連結し、前記第１のスイッチは、第１の動作又は第２の動作を選択的に行い、前記第１の動作は、前記粘着片固定部材が前記粘着片を密封する動作であり、前記第２の動作は、前記粘着片固定部材から前記粘着片を離脱させる動作であることを特徴とする粘着式異物捕捉装置。
【請求項６】
前記粘着片固定部材は、前記粘着片上に連結されることによって前記粘着片を固定し、前記粘着片固定部材は、クリップ、ピン、面ファスナー、テープ、ボルト、磁石などであることを特徴とする請求項５に記載の粘着式異物捕捉装置。
【請求項７】
前記粘着片固定部材の延設部は、前記ロッドと見なされることを特徴とする請求項５に記載の粘着式異物捕捉装置。
【請求項８】
前記ロッドは、複数のロッド体が直列接続又は並列接続されて構成されることを特徴とする請求項５に記載の粘着式異物捕捉装置。
【請求項９】
粘着片と、請求項１の粘着式異物捕捉装置に連結するために用いられる粘着片固定部材に連結する構造と、を備えることを特徴とする請求項１の粘着式異物捕捉装置に連結される粘着片。
【請求項１０】
粘着片と、請求項５の粘着式異物捕捉装置に連結するために用いられる粘着片固定部材に連結する構造と、を備えることを特徴とする請求項５の粘着式異物捕捉装置に連結される粘着片。
【考案の詳細な説明】
【技術分野】
【０００１】
本考案は、粘着式異物捕捉装置に関し、特に、スイッチを制御して遠方から異物を捕捉することができる粘着式異物捕捉装置に関する。
【背景技術】
【０００２】
環境中のゴミ、害虫などの異物は、衛生上問題があるため、異物を安全に捕捉するために用いられる捕捉装置が多く存在する。
【０００３】
図１を参照する。図１は、従来の異物捕捉装置を示す斜視図である。図１に示す従来の異物捕捉装置は、握持端１１を制御することにより、粘着片１２を異物上に粘着して使用される。しかし、粘着片１２を廃棄する際、手で粘着片１２を取り外す必要がある。この際、異物が汚れ、蚊などであればまだ問題がないが、異物が毒虫、有害物質などである場合、粘着片１２を手で直接取り外すのは、危険である。また、異物捕捉装置が異物を内部に密封する場合も、粘着片１２の外表面が異物に接触する虞があるため、粘着片１２を手で取り外すのは、衛生上問題がある。
【０００４】
従来技術の問題に鑑み、本考案は、粘着片を手で取り外す必要がないため、従来技術のような安全性及び衛生上の問題がない粘着式異物捕捉装置を提供するものである。
【先行技術文献】
【特許文献】
【０００５】
【特許文献１】実用新案登録３００６１１５号公報
【考案の概要】
【考案が解決しようとする課題】
【０００６】
本考案の目的は、スイッチ(操作部)を制御することにより、安全で衛生的に遠方から異物捕捉することができる粘着式異物捕捉装置を提供することにある。
【課題を解決するための手段】
【０００７】
本考案の粘着式異物捕捉装置は、ロッド、粘着片固定部材、粘着片、第１のスイッチ(操作部)、第２のスイッチ(操作部)、第１の伝動部材及び第２の伝動部材を含む。粘着片固定部材は、ロッドの第１端に位置する。粘着片は、粘着片固定部材上に連結される。第１のスイッチは、ロッド又は粘着片固定部材の延設部に位置する。第２のスイッチは、ロッド又は粘着片固定部材の延設部上に位置する。第１の伝動部材は、第１のスイッチと粘着片固定部材とを連結し、第１のスイッチが第１の動作を行うと、粘着固定部材が粘着片を密封する。第２の伝動部材は、第２のスイッチと粘着片固定部材とを連結し、第２のスイッチが第２の動作を行うと、粘着片固定部材が粘着片を離脱させる。
【０００８】
第１のスイッチが起動してない際、第２のスイッチは、起動できない。第１のスイッチが起動すると、第２のスイッチは、起動することができる。
【０００９】
第１のスイッチと第２のスイッチとが１つの制御スイッチに統合された場合、制御スイッチが第１の状態の際、第１の伝動部材の連動により、粘着片固定部材が粘着片を閉じることができる。また、制御スイッチが第２の状態の際、第２の伝動部材の連動により、粘着片固定部材が粘着片を解放することができる。
【００１０】
粘着片固定部材は、電磁装置を有し、第１のスイッチが起動すると、モータによって電動ローラが駆動され、粘着片を巻き取って密封する。また、第２のスイッチが起動すると、電動カッターが粘着片を切断して離脱させる。
【考案の効果】
【００１１】
従来技術と比較し、本考案の粘着式異物捕捉装置は、ユーザが粘着片を手で取り外す必要がないため、安全性及び衛生上の問題がない。
【図面の簡単な説明】
【００１２】
【図１】従来の異物捕捉装置を示す斜視図である。
【図２】本考案の粘着式異物捕捉装置を示す平面図である。
【図３】本考案の粘着式異物捕捉装置の使用状態を示す平面図である。
【図４】本考案の粘着式異物捕捉装置の使用状態を示す平面図である。
【図５】本考案の粘着式異物捕捉装置の使用状態を示す平面図である。
【図６】本考案の粘着式異物捕捉装置の使用状態を示す平面図である。
【図７】本考案の粘着式異物捕捉装置の使用状態を示す平面図である。
【考案を実施するための形態】
【００１３】
本考案の詳細な説明を以下に示す。以下に述べる説明は、本考案の好適な実施形態を示すものであり、本考案の範囲を限定するものではない。
【００１４】
本考案は、粘着式異物捕捉装置を提供するものであり、従来の粘着式異物捕捉装置と比較し、使用する際に目標物と所定距離を保持することができるため、ユーザは、安全で衛生的に異物を捕捉することができる。
【００１５】
図２を参照する。図２は、本考案の粘着式異物捕捉装置を示す平面図である。本考案の粘着式異物捕捉装置は、ロッド２１０、粘着片固定部材２２０、粘着面２３０１を有する粘着片２３０、第１のスイッチ(操作部)２４０、第２のスイッチ(操作部)２５０、第１の伝動部材２６０及び第２の伝動部材２７０を含む。
【００１６】
粘着片固定部材２２０は、ロッド２１０の第１端に位置し、粘着面２３０１と反対側の面に設置される。第１のスイッチ２４０は、ロッド２１０の第２端に位置し、第１の伝動機構２６０を介し、粘着片固定部材２２０に連結される。第１のスイッチ２４０が外力を受けて第１の動作を行うと、第１のスイッチ２４０は、第１の伝動機構２６０を連動させ、第１の伝動機構２６０が粘着片固定部材２２０を駆動し、粘着片２３０を密封する。
【００１７】
第２のスイッチ２５０は、ロッド２１０の第２端に位置し、第２の伝動機構２７０がロッド２１０の第１端まで延設されることにより、第２のスイッチ２５０が外力を受けて第２の動作を行うと、粘着片固定部材２２０が粘着片２３０を離脱させる。本実施形態中、第１のスイッチ２４０及び／又は第２のスイッチ２５０は、ロッド２１０の中央部位に位置してもよい。
【００１８】
以下に示す実施形態において、第１のスイッチ、第２のスイッチ、第１の伝動機構及び第２の伝動機構は、上述の構造と同一であるため、ここでは説明しない。
【００１９】
図３及び図４に示す実施形態中、本考案の粘着式異物捕捉装置の第１端は、ロッド３１０、粘着片固定部材３２０、粘着片３３０及び除去装置３７１を含む。粘着片３３０は、粘着性を有する紙板であり、紙板の背面には、２つの袋部が設けられ、係合ピンを嵌入することができる。
係合ピンは、第１の伝動機構３６０の一部であり、回動可能な関節を有する。第１のスイッチ２４０が起動すると、係合ピンが挟み合わされ、２つの粘着片固定部材３２０が粘着片３３０を挟圧する（図４参照）。
この際、係合ピンの可動関節は、挟圧力によって平行になる。第２のスイッチが起動２５０すると、除去装置３７１が前方に押圧されることにより、粘着片固定部材３２０から粘着片３３０が脱落する。
【００２０】
図５及び図６に示す実施形態中、本考案の粘着式異物捕捉装置の第１端は、ロッド４１０、粘着片固定部材４２０及び粘着片４３０を含む。粘着片４３０は、密封された後、自然に開くことがない。また、本実施形態中、１つのスイッチしか有さないが、第１のスイッチ２４０及び第２のスイッチ２５０が１つのスイッチに統合されることにより、２つのスイッチの機能を有することができる。粘着片固定部材４２０は、挟圧装置であり、解放状態又は挟圧状態にすることができる。
【００２１】
粘着片固定部材４２０上には、固定機構が設けられ、粘着片４３０が装着される際、固定機構によって粘着片４３０が固定される。スイッチが起動し、粘着片固定部材４２０が粘着片４３０を挟圧することにより、粘着片４３０が密封される。スイッチを最後まで起動し続けると、図６に示すように、粘着片固定部材４２０が互いに接触する挟圧力により、粘着片固定部材４２０が解放状態となり、粘着片４３０を自然に脱落させる。
【００２２】
図７に示す実施形態中、本考案の粘着式異物捕捉装置の第１端は、ロッド５１０、電動ローラ５２０、電動カッター５２１及び粘着紙ロール５３０を含む。本実施形態中、第１のスイッチ２４０によって電動モータが起動し、電動ローラ５２０が駆動されると、粘着紙ロール５３０が下方の電動ローラ５２０から上方の電動ローラ５２０に巻き取られる。使用後の粘着紙ロール５３０が上方の電動ローラ５２０内に巻き取られることにより、粘着紙ロール５３０が密封される。その後、第２のスイッチ２５０が起動すると、電動カッター５２１が使用後に電動ローラ５２０内に巻き込まれた粘着紙ロール５３０を切断し、使用後の粘着紙ロール５３０が自然に脱落する。
【００２３】
なお、上記の各実施例のロッドは単体であるが、ロッド体は単体でなくとも、複数のロッド体を直列接続又は並列接続して構成してもよい。
上述の本考案の好適な実施形態は、本考案を限定するものではなく、本考案の主旨を逸脱しない。本考案の保護範囲は、実用新案登録請求の範囲に準ずる。
【符号の説明】
【００２４】
１１  握持端
１２  粘着片
２１０  ロッド
２２０  粘着片固定部材
２３０  粘着片
２３０１  粘着面
２４０  第１のスイッチ
２５０  第２のスイッチ
２６０  第１の伝動機構
２７０  第２の伝動機構
３１０  ロッド
３２０  粘着片固定部材
３３０  粘着片
３６０  第１の伝動機構
３７０  第２の伝動機構
３７１  除去装置
４１０  ロッド
４２０  粘着片固定部材
４３０  粘着片
５１０  ロッド
５２０  電動ローラ
５２１  電動カッター
５３０  粘着紙ロール
【図１】
0003191361.tif 000003
【図２】
0003191361.tif 000004
【図３】
0003191361.tif 000005
【図４】
0003191361.tif 000006
【図５】
0003191361.tif 000007
【図６】
0003191361.tif 000008
【図７】
0003191361.tif 000009